(57)【要約】  使用時に支持基台（１８）の上に配置される縦長の本体（１２）を備えるファン。本体（１２）は、内部収容区画室を画定する。
2019522138.tif 000002
【特許請求の範囲】
【請求項１】
使用時に支持基台（１８）の上に配置される縦長の本体（１２）を備える送風機であって、
前記本体（１２）は、内部収容区画室（１３）を画定し、
前記送風機は、
外に向かって空気の流れ（Ｗ）を放出するために、その後部領域に配置された長孔（１６）を有し、さらに、
少なくともその実質的部分が前記長孔（１６）の端の上方に位置する空気吸引流動ユニット（１４）と、
流出する前記空気の流れ（Ｗ）が前記本体（１２）の外面（２２）に引き寄せられて前記送風機の前部に送られるように、前記長孔（１６）の近傍に配置されて、前記長孔（１６）と協働して前記長孔（１６）を通る前記空気の流れ（Ｗ）の出口を決定する流路要素（２０）と、
を備えることを特徴とする、送風機。
【請求項２】
前記送風機の後部から流出する前記空気の流れ（Ｗ）が前部に引き寄せられた後に、通風又は空調のために外部環境に向けて送られるように、前記本体（１２）の前記外面（２２）は、実質的に不連続な部分のない、丸みを帯びた幾何学形状を有する
ことを特徴とする請求項１に記載の送風機。
【請求項３】
前記流れが前記長孔（１６）に実質的に対応して分流し、前記本体（１２）の前記外面（２２）に引き寄せられながら別々に前記送風機の前部に向かった後、少なくとも部分的に再合流して、外部環境中に広がるように、前記流路要素（２０）は、前記長孔（１６）から流出する前記空気の流れ（Ｗ）を反対方向に向かう２つの流れに分流するのに適した手段を有するか、または、同手段と関連している
ことを特徴とする請求項１または２に記載の送風機。
【請求項４】
前記流路要素（２０）は、前記長孔（１６）に対応して前記外面（２２）の一部に重なることができる曲線状の外形を有する
ことを特徴とする請求項１〜３のいずれか一項に記載の送風機。
【請求項５】
前記流路要素（２０）は、前記外面（２２）と協働して、前記区画室（１３）から流出する前記空気の流れ（Ｗ）の通路の最も狭くなる部位を決定するように構成される
ことを特徴とする請求項１〜４のうち何れか一項に記載の送風機。
【請求項６】
前記本体（１２）は、前記外面（２２）上に、前記空気の流れ（Ｗ）の干渉および迂回手段（３２）を有する
ことを特徴とする請求項１〜５のうち何れか一項に記載の送風機。
【請求項７】
前記干渉手段（３２）は機械式である
ことを特徴とする請求項６に記載の送風機。
【請求項８】
前記干渉手段（３２）は空気力学式である
ことを特徴とする請求項６に記載の送風機。
【請求項９】
前記吸引流動ユニット（１４）の上流の前記空気の流れ（Ｗ）の入口孔（２７）に対応する位置に配置された濾過要素（２６）を備える
ことを特徴とする請求項１〜８のうち何れか一項に記載の送風機。
【請求項１０】
前記本体（１２）内部であって、前記長孔（１６）に対応する位置に設置された空調装置（２８）を備える
ことを特徴とする請求項１〜９のうち何れか一項に記載の送風機。
【請求項１１】
前記空調装置（２８）は、加熱装置、冷却装置または除湿装置を含む群から選択される
ことを特徴とする請求項１０に記載の送風機。
【請求項１２】
複数の偏向器要素（３５）を有し、前記偏向器要素（３５）を回転させるか、あるいは傾けるように構成された調節装置（３６）に関連付けられている、偏向器装置（３４）を備える
ことを特徴とする請求項１〜１１のうち何れか一項に記載の送風機。
【請求項１３】
一端が前記本体（１２）内に取り付けられるとともに、他端が前記支持基台（１８）に取り付けられる回転装置（３０）を備える
ことを特徴とする請求項１〜１２のうち何れか一項に記載の送風機。
【請求項１４】
前記流路要素（２０）は、前記長孔（１６）から流出する前記空気の流れ（Ｗ）を実質的に半分ずつに二分するように構成された分離要素（２４）を備える
ことを特徴とする請求項１〜１３のうち何れか一項に記載の送風機。
【請求項１５】
前記丸みを帯びた幾何学形状は、実質的に、円形、正楕円形、しずく形、扁平な形状、または、実質的にしずく形もしくは翼形である前記本体（１２）の外形（４０）が得られるような形状によって画定することができ、
前記外形（４０）は、ユーザに高いレベルの快適さを保証するべく、前記送風機の前部に空気の流れを生成するように構成されている
ことを特徴とする請求項２または請求項１〜１４のいずれか一項に記載の送風機。
【請求項１６】
前記外形（４０）は、連続して並ぶように配置された複数の凸状に湾曲する円弧部分（Ｓ１、Ｓ２、Ｓ３、…ＳＮ）で近似されるポリラインを備え、
前記複数の凸状に湾曲する円弧部分（Ｓ１、Ｓ２、Ｓ３、…ＳＮ）は、前記空気の流れの方向、すなわち前記長孔（１６）から前記送風機の前部へ向かう方向において、順次小さくなる偏角と、順次大きくなる曲率半径とを有する
ことを特徴とする請求項１５に記載の送風機。
【請求項１７】
使用状態に支持基台（１８）の上に配置される縦長の本体（１２）を備え、前記本体（１２）が内部収容区画室（１３）を画定する送風機（１０）によって、空気の流れ（Ｗ）を循環させるための方法であって、
長孔（１６）の上方に位置する吸引流動ユニット（１４）によって外部環境から空気を吸引することと、
前記区画室（１３）内の空気の流れ（Ｗ）を前記吸引流動ユニット（１４）から前記長孔（１６）に向かって流動させることと、
前記空気の流れ（Ｗ）を前記長孔（１６）から流出させることと、
前記長孔（１６）の近傍に配置された流路要素（２０）によって前記空気の流れ（Ｗ）の向きを変えることと、
前記空気の流れ（Ｗ）を、丸みを帯びた幾何学形状を有する前記本体（１２）の外面（２２）に引き寄せることと、
を含むことを特徴とする方法。
【発明の詳細な説明】
【技術分野】
【０００１】
本発明は、周辺環境の通風または空調のための空気の流れを生成するために、家庭または公共の閉鎖空間内において使用可能な送風機に関する。
以下で使用される送風機という用語は、広義には、通風、空調、冷房、暖房、熱交換、除湿または空気清浄をすることができる任意の装置を意味する。
【背景技術】
【０００２】
従来の部屋用の送風機は、実質的に柱状体として構成され、通風または空調のための空気の流れを発生させる機械要素を収容する収容構造体と、空気の流れが放出される領域とを有し、外部環境に向けて流れを放出するための１つ以上の放出開口を備える。
【０００３】
典型的かつ一般的な従来の送風機では、放出開口は、大抵、送風機の構造部分の前部に見えるように配置されており、技術的な構成要素、例えば送風羽根および／または場合によって加熱手段の一部が見えてしまうことがある。
【０００４】
このような放出開口は好ましくない視覚効果を与えるので、不連続な部分のないすっきりした外形にすることが難しく、そのため、送風機の美的価値が低下してしまう。
さらに、技術的な構成要素が空間に直接面するので、これら構成要素に埃などの汚れが付きやすく、構成要素の機能が損なわれるおそれがある。
【０００５】
また、従来の携帯型送風機は、一部または全体が目に触れるような内部構成要素を有していないか、あるいは送風羽根を有していないものの、空気を流動させることができる空間は限定的である。
【０００６】
特に、空気が流れるのは空間内のごく限られた領域にすぎないので、その適用性と有効性が低くなる。
多くの従来技術の別の欠点は、送風機に流入する空気が下部領域、すなわちモータが存在し、送風機の基台またはその近くに実質的に対応する領域に取り込まれることである。
【０００７】
そのような送風機は、空間から空気を取り込むときに、送風機が置かれた床面に多量に存在する埃を一緒に取り込んでしまう。
例えば特許文献１に記載の送風機は、空気吸入室が設けられた支持基台と、縦長の本体とを備える。本体は支持基台と連通するとともに、長手方向に延びる複数のスリットを有する。生成された空気の流れは、複数のスリットに対応して設けられた複数の偏向器要素によって規定される方向に向けて、スリットを通って外部へと放出される。特許文献１の構成においては、空気を流入させる開口と空気の流れを生成するための手段とは、必然的に、空気が流出するスリットの下方となる支持基台内に設けられている。これは、縦長の本体の幾何学形状および構成においては、こうした構成要素を異なる配置にすることができないためである。
【０００８】
特許文献２に記載の送風機は、空気が流入するための複数の開口が設けられた本体と、環状のケースとを備え、本体内には空気の流れを生成する手段が配置され、ケースには、空気の流れの第１の部分を放出する少なくとも１つの第１開口と、空気の流れの第２の部分を放出する少なくとも１つの第２開口とが設けられる。送風機の構成に起因して、空気流入開口と空気の流れを生成するための手段との配置が制約されることにより、吸入される空気は、地面に溜まりがちな塵埃を含有していることがある。
【０００９】
特許文献３に記載の送風機は、ユーザに向けて空気の流れを放出するために、コアンダ効果を利用する。この送風機は、空気を流入させるための孔が複数設けられた部屋を備え、部屋内には、空気の流れを生成する手段が設けられ、コアンダ式偏向器が半円部分およびＶ字部分を備える部位とともに配置され、半円部分に対応するように空気の流れを放出するためのスリットが設けられている。半円部分は、Ｖ字の先端に向かって空気の流れを偏向させる。この構成においては、流入孔および空気の流れを生成する手段を送風機の下部に配置しているので、上述した送風機と同様の課題が生じる。
【００１０】
特許文献４は、円柱状の本体用ハウジングを備えた送風装置に関し、本体用ハウジングの後部領域には空気を流入させるための開口が設けられ、本体のハウジングの正面壁には長手方向に延びるスリットによって画定される放出開口が設けられている。この送風装置は、本体のハウジングの下部に配置された吹出装置を備え、流入開口から放出開口へと、底部から上方に空気を循環させるように構成される。
【先行技術文献】
【特許文献】
【００１１】
【特許文献１】中国特許出願公開第１０４，８６３，８７１号明細書
【特許文献２】国際公開第２０１２／０１７２２０号
【特許文献３】中国特許出願公開第１０５，３５１，２３０号明細書
【特許文献４】米国特許出願公開第２０１５／０１３６９９７号明細書
【発明の概要】
【発明が解決しようとする課題】
【００１２】
本発明の目的の１つは、従来の送風機の課題を解決する送風機を得ることにある。
本発明の別の目的は、均一な温度分布の空気の流れを返し、それが配置される空間内において、そこにいる人々に最大限の快適さを保証することができる送風機を得ることである。
【００１３】
別の目的は、メンテナンスの頻度を最小限に減らすことができる送風機を得ることである。
別の目的は、出口での空気の流れの振幅を変化させることができる送風機を得ることである。
【００１４】
本発明の別の目的は、前面に不連続な部分がなく、送風機の機能構成要素が存在する内部領域につながる開口のない閉じた外形を画定することにより、美的価値に優れた送風機を得ることである。
【００１５】
出願人は、従来技術の課題を克服するために、ならびに、これらおよび他の目的および利点を得るために、本発明を考案、試験および具現化した。
【課題を解決するための手段】
【００１６】
本発明は、独立請求項において記載されかつ特徴付けられる一方、従属請求項は、本発明の他の特徴または主発明に係る思想の変形例を記述する。
上記目的に係る本発明は、空間に空気の流れを放出する送風機に関する。
【００１７】
送風機は、使用時に支持基台の上に配置される縦長の本体を備え、前記本体は、内部収容区画室を画定する。
本発明の一態様によれば、送風機は、外に向かって空気の流れを放出するために、その後部領域に配置された長孔を有し、また、少なくともその実質的部分が長孔の端の上方に位置する空気吸引流動ユニットと、流出する空気の流れが本体の外面に引き寄せられて送風機の前部に送られるように、長孔の近傍に配置されて、長孔と協働して長孔を通る空気の流れの出口を決定する流路要素と、を備える。
【００１８】
本発明の別の態様によれば、送風機の後部から流出する空気の流れが前部に引き寄せられた後に、通風または空調のために外部環境に向けて送られるように、本体の外面は、実質的に不連続な部分のない、丸みを帯びた幾何学形状を有する。
【００１９】
別の態様によれば、流れが長孔に実質的に対応して分流し、本体の外面に引き寄せられながら別々に送風機の前部に向かった後、少なくとも部分的に再合流して、環境中に広がるように、流路要素は、長孔から流出する空気の流れを反対方向に向かう２つの流れに分流するのに適した手段を有するか、または、同手段と関連している。
【００２０】
上記構成によれば、複数の羽根を必要としない送風機を得ることができ、内部構造をユーザに見せることがなく、目に触れる表面形状は不連続な部分のない丸みを帯びた外形を有し、さらに、心地よい美的外観を提供するとともに、空間に空気の流れを放出したり通風したりすることができる。
【００２１】
本発明はまた、送風機から流出する空気の流れを決定するための方法に関する。
本発明の上記特徴およびその他の特徴は、添付図面を参照しながら非限定的な例として開示される、いくつかの実施形態に係る以下の説明から明らかになるであろう。
【図面の簡単な説明】
【００２２】
【図１】本発明の一実施形態に係る送風機の正面図。
【図２】図１の送風機の、図３の断面ＩＩ−ＩＩに沿った断面図。
【図３】図２の送風機の断面図。
【図４】図２の送風機の変形例の断面図。
【図５】図２の送風機の変形例の断面図。
【図６】図２の送風機の変形例の断面図。
【発明を実施するための形態】
【００２３】
理解を容易にするために、可能な限り、図面において同一の共通要素を示すために同じ参照番号が使用されている。１つの実施形態に含まれる複数の構成要素および複数の特徴は、その組み合わせが個別に明示されていなくても、他の実施形態に適宜に組み合わせることができる。
【００２４】
図１〜図６を参照しながら以下に説明する実施形態は、特に、室温での通風、冷房、暖房、熱交換、除湿または空気清浄のために、閉鎖空間で使用可能な送風機１０に関する。
送風機１０は、使用中に支持基台１８の上に配置される縦長の本体１２を備える。
【００２５】
本体１２は、その内部に、複数の機能要素を収容するための区画室１３を画定する。
送風機１０は、本体１２の後部に配置された長孔１６を有するとともに、空気の流れＷを取り込んで流動させるユニット１４を備える。
【００２６】
空気吸引流動ユニット１４は、少なくともその実質的部分が、長孔１６の端の上方に位置する。
長孔１６は、空調が行われる空間の反対側に配置される。具体的には、長孔１６は、送風機１０の後部に位置し、長孔１６から流出する空気の流れＷは、図３および図４中に矢印Ｆで示すように、送風機１０の前部に位置する前部領域に到達するように偏向される。
【００２７】
一般に、「後部」および「前部領域」という表現は、これらの２つの部分間の機能的関係を定義するにすぎず、本体１２及びユーザに対して互いに実質的に反対に配置される必要があることを意味する。
【００２８】
いくつかの実施形態によれば、空気吸引流動ユニット１４はロータ１５を備え、ロータ１５には、外部およびその入口から本体１２内へ空気を吸引させるように適切に配向された複数の羽根が設けられる。
【００２９】
ロータ１５は、例えば遠心ファン、軸流ファン、または、軸流ファンと遠心ファンとの中間的な性質を有するファン（a mixed axial-centrifugal fan）として設計することができる。
【００３０】
また、空気吸引流動ユニット１４は、ロータ１５の中心に対応して配置された駆動軸によってロータ１５に連結された駆動部材１７を備える。
また、送風機１０は、長孔１６の近くに配置されて、長孔１６と協働して空気の流れＷを外側に向かわせる流路要素２０を備える。
【００３１】
流路要素２０は、長孔１６から流出する空気の流れＷを本体１２の外面２２に引き寄せるように構成される。換言すれば、流路要素２０は、長孔１６から流出する空気の流れＷを偏向させることができる。
【００３２】
流路要素２０は、作用面２０ａを備える。使用時に、長孔１６から流出する空気の流れＷは作用面２０ａに衝突する。作用面２０ａは、凸形に湾曲していてもよい。
流路要素２０は、図３および図４により明示されるように、長孔１６から流出して送風機１０の前部領域に向かう空気の流れＷを外面２２の外形に沿わせて、送風機１０の前部に向けて流動させる。
【００３３】
さらに、流路要素２０は、外面２２と協働して、区画室１３から流出する空気の流れＷの通路の最も狭くなる部位を決定するように構成される。
本発明の１つの方式では、送風機１０の後部から流出した空気の流れＷが前部に引き寄せられた後に、通風または空調のために空間に向けて送られるように、外面２２は、実質的に不連続な部分がない、丸みを帯びた幾何学形状を有する。
【００３４】
本発明の分野において、丸みを帯びた幾何学形状は、実質的に、円形、正楕円形、しずく形（drop-shaped）、扁平な形状（compressed）、または、実質的にしずく形もしくは翼形である本体１２の外形が得られるような形状、あるいは、円形と異なる任意の他の形状である断面で画定することができ、流れに著しい変化を生じさせることなく、また、流れを妨げる可能性のある障害、乱流、不連続または任意の他の要因を生じさせることなく、外面２２に空気の流れＷを引き寄せて流動させるのに適した形状にすることができる。
【００３５】
空気は、本体１２の頂部および上部側壁、あるいは頂部または上部側壁において、少なくとも長孔１６の上方に形成された貫通入口孔２７を通じて本体１２内に流入する。
区画室１３は、送風機１０内において入口孔２７から長孔１６に向けて空気の流れＷが生じることを可能にする。
【００３６】
好ましい実施形態によれば、本体１２は、その高さ方向において、全体として実質的に円筒状をなすように構成することができる。
この構成によれば、本体１２は断面円形状を有するので、鋭い角部分がなく、長孔１６から出る空気の流れＷを、コアンダ効果を利用して外面２２に引き寄せつつ流動させることが可能になる。
【００３７】
一実施形態によれば、図１に例として示すように、本体１２は、その縦に延びる部分の少なくとも一部にテーパ形状を有することができる。
特に、有利な方式によれば、本体１２は、高さ方向において実質的に長孔１６に対応する部位が細くなっている。
【００３８】
このようにすると、長孔１６に対応して正楕円形、しずく形、扁平な形状または翼形に形成されていることにより、本体１２がその高さ方向の全体において断面が一定の円形である場合よりも、空気の流れＷが外面２２のより広い部分に引き寄せられた状態が維持される。これにより、ユーザに吹き付ける空気の流れＷがより強くなるとともに、乱流がより少なくなる。
【００３９】
本変形例の実施形態では、本体１２の断面の内側の直径を１００ｍｍから２３０ｍｍの範囲とすることができ、本体１２の高さを７５０ｍｍから８５０ｍｍの範囲とすることができる。
【００４０】
本体１２は、前部に連続的な面を有するように構成することができる一方、長孔１６に対応して、長孔１６自体を画定するように、内側に向かって折り曲げられた外形を有する。
【００４１】
この構成によれば、長孔１６に対応する本体１２の特定の丸みを帯びた形状により、送風機１０の前部に向けて延びる被膜を形成するかのように、空気の流れＷを外面２２に引き寄せつつ流動させることが可能になる。
【００４２】
可能な実施形態によれば、例えば図３を参照して例として記載するように、本体１２は、ポリラインによって画定される外形４０を有する幾何学断面を備えることができ、これは、連続して並ぶように配置された複数の凸状に湾曲する円弧部分Ｓ１、Ｓ２、Ｓ３、…ＳＮで近似できる。
【００４３】
具体的には、ポリラインの外形４０は、ユーザに高いレベルの快適さを保証するべく、送風機１０の前部に空気の流れを生成するように構成されている。
いくつかの実施形態によれば、特徴的な部位の外形４０は、長孔１６がある前部と後部とを結ぶ送風機１０の正中面Ｍに対して対称な形状を有している。
【００４４】
外形４０は、本体１２の１つの領域、具体的には長孔１６が形成された領域のみに影響を与え得ることに留意すべきである。
いくつかの実施形態では、長孔１６および外形４０は、本体１２の長手方向（垂直方向）に延びる全体またはその一部分のみに影響を与え得る。
【００４５】
いくつかの実施形態によれば、長孔１６から送風機１０の前部へ向かう空気の流れ方向において、連続して並ぶ複数の凸状に湾曲する円弧部分は、順次小さくなる偏角（amplitude）及び順次大きくなる曲率半径を有する。
【００４６】
いくつかの実施形態によれば、複数の凸状に湾曲する円弧部分Ｓ１、Ｓ２、Ｓ３、…ＳＮは、互いに接している。
いくつかの実施形態によれば、例えば図３を参照して示すように、外形４０は、少なくとも３つの凸状に湾曲する円弧部分Ｓ１、Ｓ２、Ｓ３によって近似することができる。
【００４７】
以下では、例として３つの円弧部分について説明するが、空気の流れの方向に並ぶ複数の凸状に湾曲する円弧部分が、相互に、順次小さくなる偏角及び順次大きくなる曲率半径を有するのであれば、凸状に湾曲する円弧部分の数Ｎは、任意の数、例えば５、７、１０、２０、１００以上にすることができる。
【００４８】
いくつかの実施形態によれば、第１の凸状に湾曲する円弧部分Ｓ１は、例えば１１０°から１５０°の間である第１の角度α１に対応する偏角で延設することができ、５ｍｍから１０ｍｍの間からなる第１の曲率半径Ｒ１を有することができる。特に、第１の曲率半径Ｒ１は、６ｍｍから８ｍｍにすることができる。例えば、第１の曲率半径Ｒ１は、６．８ｍｍから７．２ｍｍにすることができる。
【００４９】
他の実施形態によれば、第１の凸状に湾曲する円弧部分Ｓ１は、１２０°から１４０°の間である第１の角度α１に対応する偏角で延設することができ、曲率半径Ｒ１は例えば６．９ｍｍから７．１ｍｍにすることができる。
【００５０】
他の実施形態によれば、第２の凸状に湾曲する円弧部分Ｓ２は、例えば５０°から７０°の間である第２の角度α２に対応する偏角で延設することができ、２５ｍｍから４５ｍｍの間である第２の曲率半径Ｒ２にすることができる。特に、第２の曲率半径Ｒ２は、３０ｍｍから４０ｍｍにすることができる。
【００５１】
他の実施形態によれば、第２の凸状に湾曲する円弧部分Ｓ２を、５５°から６５°の間からなる第２の角度α２に対応する偏角で延設することができ、例えば３２ｍｍから３７ｍｍの間である第２の曲率半径Ｒ２にすることができる。
【００５２】
いくつかの実施形態によれば、第３の凸状に湾曲する円弧部分Ｓ３は、例えば２０°から４０°の間である第３の角度α３に対応する偏角で延設することができ、８０ｍｍから１３０ｍｍの間である第３の曲率半径Ｒ３にすることができる。特に、第３の曲率半径Ｒ３は、９０ｍｍから１２０ｍｍにすることができる。
【００５３】
他の実施形態によれば、第３の凸状に湾曲する円弧部分Ｓ３は、２５°から３５°の間である第３の角度α３に対応する偏角で延設することができ、例えば１００ｍｍから１１０ｍｍの間である第３の曲率半径Ｒ３にすることができ、より具体的には、例えば１０４ｍｍから１０６ｍｍにすることができる。
【００５４】
いくつかの実施形態によれば、外形４０が不連続な部分なく延びるように、第２の凸状に湾曲する円弧部分Ｓ２は、一端側が第１の凸状に湾曲する円弧部分Ｓ１に接するとともに、他端側が第３の凸状に湾曲する円弧部分Ｓ３と接している。
【００５５】
他の実施形態によれば、凸状に湾曲する円弧部分Ｓ１、Ｓ２、Ｓ３の各々は、それ自体を複数の円弧状の分割部分から構成してもよく、これら複数の円弧状の分割部分は、全体としてそれぞれの円弧部分Ｓ１、Ｓ２、Ｓ３を近似する。各円弧状の分割部分は、隣の分割部分に対して（空気の流れＷの方向において）、順次小さくなる偏角と、順次大きくなる曲率半径とを有する。
【００５６】
例えば、図示しない可能な実施形態によれば、第１の凸状に湾曲する円弧部分Ｓ１の代わりに、２つの円弧状分割部分が互いに隣接して配置され、それぞれが例えば６７°および６３°の角度の偏角で延び、それぞれの曲率半径が例えば６．８ｍｍから７ｍｍまで、および７ｍｍから７．２ｍｍまでの範囲で異なっていてもよい。
【００５７】
いくつかの他の実施形態によれば、第１の凸状に湾曲する円弧部分Ｓ１の湾曲は、流路要素２０と協働して、空気の流れが流出するための出口通路２１を画定する。
他の実施形態によれば、流路要素２０は、正中面Ｍの両側に出口通路２１を画定するために第１の円弧部分と協働するのに適切な曲率半径の半円形状を有することができる。
【００５８】
いくつかの実施形態によれば、流路要素２０は、長孔１６に対応して外面２２の一部の上方に位置する曲線状の外形を有してもよい。
一実施形態では、流路要素２０は、長孔１６の延長に少なくとも等しい、縦長の形状を有する。
【００５９】
図２に示す別の実施形態では、流路要素２０は、本体１２の縦長さと等しい、縦長の形状を有する。
別の実施形態では、図４に例として示すように、流路要素２０には、長孔１６から流出する空気の流れＷを実質的に半分ずつに二分するように構成された分離要素２４を設けてもよい。
【００６０】
いくつかの実施形態によれば、分離要素２４は、長孔１６に面する頂部２４ａと、流路要素２０に面する底辺を有する、三角形または矢印形状の断面を備えることができる。
他の実施形態によれば、分離要素２４は、内側に向かって半円形状に湾曲する２つの凹状側部を有してもよい。
【００６１】
いくつかの実施形態では、頂部２４ａは丸まっていてもいいし、傾斜していてもよい。
空気が流れる部位は長孔１６の部分で最も広くなるが、分離要素２４を設けることによってこの空気が流れる部位を次第に狭くすることができる。すなわち、空気が流れる部位は、分離要素２４の頂部２４ａにおいて最も広く、出口通路２１の端部に対応する部位、つまり流路要素２０の最も外側の端において最も狭くなる。
【００６２】
分離要素２４の頂部２４ａと通路２１との間の部位において空気が流れる部位を狭くすることにより、外側かつ送風機１０の前部に向かう空気の流れＷの流速を増すことができる。
【００６３】
このように、反対方向に向かう２つの空気の流れＷを作ると、流れの各々は、対応する通路２１から流出して、本体１２の対応する外面２２に引き寄せられつつ流れ、送風機１０の正面で再び実質的に合流する。
【００６４】
いくつかの実施形態によれば、通路２１は、空気の流れＷを通過させるための部位で狭くなるよう適合されている。
いくつかの実施形態によれば、各通路２１は、約０．１ｍｍから５０ｍｍの幅を有している。
【００６５】
いくつかの実施形態によれば、通路２１は、約１ｍｍから約２０ｍｍの幅を有している。
他の実施形態によれば、通路２１は、約３ｍｍから約１０ｍｍの幅を有している。
【００６６】
通路２１の幅をこのように設計することにより、所望の距離で、ユーザに最適な快適さを提供するのに適した速度で、ユーザに向けて空気の流れを送ることが可能となる。
具体的には、出口における空気の流れの速度は、送風機１０の機能の有効性とユーザの快適さの両方を最適化するものである。
【００６７】
他の実施形態によれば、本体１２の外面２２には、少なくとも長孔１６の影響を受ける領域に対応して、空気の流れの乱れを防ぐために、シワおよび凹凸をなくすか、少なくとも低減するのに適切な表面仕上げを行い、それによってユーザに対して高いレベルの快適さを保証する。
【００６８】
いくつかの実施形態によれば、外面２２は、Ｒａ、ＲｚおよびＲｑを測った場合に、表面粗さが０．００１μから１００μになるようにすることができる。
一実施形態によれば、本体１２は、好ましくは実質的に前部領域内に、すなわち空調または通風がなされる空間に面する位置に、干渉および迂回手段３２を有することができる。干渉および迂回手段３２は、必要に応じて、外面２２に対して少なくとも流れが部分的に引き寄せられなくなるように、および／または、空気の噴出の振幅を調整するために、空気の流れＷをそらすように構成される。
【００６９】
干渉手段３２は、本体１２の高さ方向におけるいずれの地点にも設置することができ、その配置された空間に吹き付ける空気の流れＷおよび／または噴出の振幅を調節する。
いくつかの実施形態によれば、干渉手段３２は機械式である。
【００７０】
いくつかの実施形態によれば、例えば図５を参照して説明するように、機械式の干渉手段３２は、複数の機械的干渉部材３２ａ、例えば任意に調節可能であって航空機のフラップと同様の形状を有する複数の縦長フィンを備えることができる。
【００７１】
機械的干渉部材３２ａは複数のフラップとして構成することもできるし、あるいは、それらを支持する表面と同様の形状を有する移動表面として構成することができる。また、機械的干渉部材３２ａは、外側に向かって空気の流れを偏向するように構成することができる。
【００７２】
いくつかの実施形態によれば、機械的干渉部材３２ａを、本体１２の外面２２に実質的に平行な位置から実質的に垂直な位置に回転させることができる。
他の実施形態によれば、干渉手段３２は空気力学式である。
【００７３】
これらの実施形態によれば、例えば図６に例として示すように、複数のノズルまたは複数の成形孔のような空気力学干渉部材３２ｂとすることができる。こうした、空気力学干渉部材３２ｂは、空気の主要な流れを偏向または撹乱して空間に流出させるために、外面２２に対して傾斜した方向、例えば外面２２に対して垂直な方向に流れる空気の噴流を生成する。
【００７４】
一実施形態によれば、図２に例として示すように、送風機１０はさらに濾過要素２６を備えてもよい。
濾過要素２６は、吸引された空気から埃または特定のアレルゲンを適切に取り除いて空気を浄化するために、空気吸引流動ユニット１４の上流の入口孔２７に対応する位置に設置することができる。
【００７５】
送風機１０の全体構造における実質的な上部に濾過要素２６を配置すると、本体１２の特定の構造も手伝って、メンテナンス及び交換のために濾過要素２６にアクセスすることが容易になる。
【００７６】
別の実施形態によれば、図２に例として示すように、送風機１０は、本体１２の内部であって、実質的に長孔１６に対応する位置に設置された空調装置２８を備えてもよい。
空調装置２８は、送風機１０が空気を放出する空間に対して一定の影響を与えるべく、空気の流れＷの状態を変更することができる任意の装置とすることができる。
【００７７】
例えば、空調装置２８は、空気の流れＷを加熱したり、冷却したり、または除湿したりするものであってもよいし、送風機１０が複数の機能を備えるように設計される場合には、必要に応じてこれらの機能を組み合わせてもよい。
【００７８】
ここに示す事例では、空調装置２８は流路要素２０の上流に設置されている。
一実施形態によれば、図２に例として示すように、空調装置２８は、長孔１６のすぐ上流に設置することができる。
【００７９】
別の実施形態によれば、空調装置２８は、長孔１６の下流に設置することもできる。
ここで説明する実施形態によれば、送風機１０は、長孔１６を通じて空気の流れを流路要素２０に向かって流動させるために、複数の偏向器要素３５を有する偏向器装置３４を備える。
【００８０】
別の実施形態によれば、図２および図３に例として示すように、送風機１０は、偏向器装置３４と協働する調節装置３６を備えることができる。調節装置３６は、空気の流れＷの方向を変調するために、偏向器要素３５を任意の向きに設定する。
【００８１】
一実施形態では、調節装置３６は、支持基台１８に実質的に平行な位置から支持基台１８に実質的に垂直な位置へと、偏向器要素３５を回転させることができる。
また、別の実施形態によれば、図２に例として示すように、送風機１０は、本体１２を回転させるための装置３０を備える。
【００８２】
回転装置３０は、本体１２および支持基台１８のそれぞれ異なる２カ所に対応して設置することができる。
回転装置３０には、支持基台１８に対して本体１２を任意の回転角度に回転させる運動機構が設けられている。
【００８３】
この回転装置３０は、例えば遠隔操作またはボタン操作によって、あるいは任意の他の既知のシステムによって駆動されると、本体１２の位置を決定するために、あるいは本体１２に連続的な回転運動をさせるために、軸を中心とする本体１２の動作を決定する。
【００８４】
本発明の分野および範囲から逸脱することなく、これまで説明した送風機１０に対して部分的な変更および追加、あるいは変更または追加がなされ得ることは明らかである。
いくつかの特定の実施例を参照して本発明を説明してきたが、当業者が、特許請求の範囲に記載の特徴を有する、したがって、それによって定義される保護分野内にすべて入る、送風機の多くの他の均等な形態を確実に達成することができるはずであることも明らかである。
【図１】
2019522138.tif 000003
【図２】
2019522138.tif 000004
【図３】
2019522138.tif 000005
【図４】
2019522138.tif 000006
【図５】
2019522138.tif 000007
【図６】
2019522138.tif 000008
【国際調査報告】
2019522138.tif 000009
2019522138.tif 000010
2019522138.tif 000011